(57)【要約】【課題】  構成の大型化及び重量増加，価格上昇を抑え、スペース効率を高めつつ、重要な機能を果たす部分を保護可能とする。【解決手段】  筐体１の内面側には、カバー部材の回動軸部が回動可能に挿通される貫通孔部と、その貫通孔部の近傍で且つ内面から突き出た状態で当該筐体１と一体化された第１，第２の衝止部２４，２５とを備えている。カバー連動部材１０は、筐体１の貫通孔部に挿通されたカバー部材の回動軸部を当該貫通孔部から引き抜き不能に嵌合すると共に、カバー部材の回動軸部の回動に応じて回動することにより、筐体１の内面に形成されている第１，第２の衝止部２４，２５に突き当てられる方形部３３を備えている。【選択図】  図１０
2005311597.tif 000002
【特許請求の範囲】
【請求項１】
筐体の外面側に設けられ、中央部に対して偏った位置に配された回動軸を中心にして回動することにより、被カバー部を覆う閉状態と被カバー部を露出させる閉状態とを取り得るカバー手段と、
上記カバー手段を上記回動軸を中心にして回動可能で且つ離脱不能に筐体へ取り付けるためのカバー取付手段と、
上記カバー取付手段により筐体に取り付けられた上記カバー手段の回動軸近傍で且つ筐体の内面に一体化されて設けられ、上記カバー手段が上記回動軸を中心にして回動する際の、その回動の停止位置を決める回動停止位置決め手段と、
上記カバー手段の回動軸に取り付けられ且つ当該回動軸の回動に応じて回動すると共に、上記回動停止位置決め手段による回動停止位置で上記カバー手段の回動を停止させるための回動停止手段とを有する
ことを特徴とする開閉装置。
【請求項２】
筐体の外面側に設けられ、中央部に対して偏った位置に配された回動軸部を中心にして回動することにより、被カバー部を覆う閉状態と被カバー部を露出させる閉状態とを取り得るカバー部材と、
上記カバー部材の回動軸部が回動可能に挿通される貫通孔部と、当該貫通孔部の近傍で且つ内面と一体化された状態で突き出た衝止部とを備えた筐体と、
筐体の内面側にて、上記貫通孔部に挿通された上記カバー部材の回動軸部を当該貫通孔部から引き抜き不能に嵌合すると共に、上記カバー部材の回動軸部の回動に応じて回動することにより、上記筐体の内面に形成されている上記衝止部に突き当てられる突当部を備えたカバー連動部材とを有する
ことを特徴とする開閉装置。
【請求項３】
請求項２記載の開閉装置であって、
上記カバー連動部材は、上記カバー部材の回動軸部にその中心軸が一致する円筒部を有し、
上記筐体の貫通孔部の近傍に設けられ、上記カバー連動部材と対向する壁部分に所定の大きさの貫通孔を有すると共に、筐体の内面側から突き出た状態で且つ当該筐体の内面と一体化されて形成されたホルダ部と、
上記ホルダ部の内部に配され、その先端部が、上記ホルダ部の貫通孔内に滑動自在で且つ当該貫通孔から突出した状態で嵌め込まれるピンと、
上記ホルダ部の内部に配され、バネ反発力により、上記ピンの上記先端部を上記カバー連動部材の円筒部の外周部に当接させるバネ部材とを有することを特徴とする開閉装置。
【請求項４】
請求項２記載の開閉装置であって、
上記筐体の衝止部は、上記貫通孔部の中心軸から所定の方向で且つ所定の距離だけ離れた位置に設けられる第１，第２の二つの衝止部からなり、
上記カバー連動部材は、上記カバー部材の回動軸部にその中心軸が一致する円筒部を有し、当該円筒部の外周部分には、所定の距離だけ隔てられた第１の係止部及び第２の係止部が当該円筒部と一体化して形成されており、
上記筐体の貫通孔部の近傍に設けられ、上記カバー連動部材と対向する壁部分に所定の大きさの貫通孔を有すると共に、筐体の内面側から突き出た状態で且つ当該筐体の内面と一体化されて形成されたホルダ部と、
上記ホルダ部の内部に配され、その先端部が、上記ホルダ部の貫通孔内に滑動自在で且つ当該貫通孔から突出した状態で嵌め込まれると共に、その先端部の形状が、上記カバー部材の上記第１又は第２の係止部に嵌合可能な形状を成すクリックピンと、
上記ホルダ部の内部に配され、バネ反発力により、上記クリックピンの上記先端部を上記カバー連動部材の円筒部のうち上記第１の係止部から第２の係止部までの間で且つ上記第１の係止部と第２の係止部を含む外周部に当接させるバネ部材とを有することを特徴とする開閉装置。
【請求項５】
請求項２記載の開閉装置であって、
上記筐体の衝止部は、上記貫通孔部の中心軸から所定の方向で且つ所定の距離だけ離れた位置に設けられる第１，第２の二つの衝止部からなり、
上記カバー連動部材は、上記カバー部材の回動軸部にその中心軸が一致する円筒部を有し、当該円筒部の外周部分には、所定の距離だけ隔てられた第１の突起部及び第２の突起部と、当該所定距離だけ隔てられた第１の突起部と第２の突起部の間に設けられると共に円筒部の外径よりも所定長だけ大きな径の円弧となされ且つその円弧の両端部がなだらかにカーブして上記円筒部の外周部と接する形状となされた円弧部とが、当該円筒部と一体化して形成されており、
上記筐体の貫通孔部の近傍に設けられ、上記カバー連動部材と対向する壁部分に所定の大きさの貫通孔を有すると共に、筐体の内面側から突き出た状態で且つ当該筐体の内面と一体化されて形成されたホルダ部と、
上記ホルダ部の内部に配され、その先端部が、上記ホルダ部の貫通孔内に滑動自在で且つ当該貫通孔から突出した状態で嵌め込まれると共に、その先端部の形状が、上記カバー部材の円弧部の端部と第１又は第２の突起部とで挟まれた部分の形状と嵌合可能な形状を成すクリックピンと、
上記ホルダ部の内部に配され、バネ反発力により、上記クリックピンの上記先端部を上記カバー連動部材の円筒部のうち上記円弧部を挟んだ第１の突起部から第２の突起部までの外周部に当接させるバネ部材とを有することを特徴とする開閉装置。
【請求項６】
請求項２記載の開閉装置であって、
上記カバー連動部材の回動に応じて、上記カバー部材の閉状態と開状態の少なくとも何れか一方を検出する検出手段を有することを特徴とする開閉装置。
【請求項７】
請求項６記載の開閉装置であって、
上記カバー連動部材は、上記カバー部材の回動軸部にその中心軸が一致する円筒部を有し、
上記検出手段は、上記カバー連動部材の上記円筒部の外周部分に取り付けられた磁石と、筐体内部の所定の位置に取り付けられた強磁性体磁気抵抗素子とを有してなることを特徴とする開閉装置。
【請求項８】
筐体の外面側に設けられ、中央部に対して偏った位置に配された回動軸を中心にして回動することにより、少なくともカメラ用レンズを覆う閉状態と当該カメラ用レンズを露出させる閉状態とを取り得るカバー手段と、
上記カバー手段を上記回動軸を中心にして回動可能で且つ離脱不能に筐体へ取り付けるためのカバー取付手段と、
上記カバー取付手段により筐体に取り付けられた上記カバー手段の回動軸近傍で且つ筐体の内面に一体化されて設けられ、上記カバー手段が上記回動軸を中心にして回動する際の、その回動の停止位置を決める回動停止位置決め手段と、
上記カバー手段の回動軸に取り付けられ且つ当該回動軸の回動に応じて回動すると共に、上記回動停止位置決め手段による回動停止位置で上記カバー手段の回動を停止させるための回動停止手段とを有する
ことを特徴とする携帯型電子装置。
【発明の詳細な説明】
【技術分野】
【０００１】
本発明は、例えば携帯電話端末やＰＤＡ（Personal Digital Assistant）等に好適な開閉装置及び携帯型電子装置に関する。
【背景技術】
【０００２】
従来より、携帯型の各種電子装置は、例えば、表示部の傷付きや破壊の防止、カメラレンズの傷付きや破壊防止及び指紋の付着や埃，塵の進入防止、キーの誤操作防止、外部接続端子への埃や塵の進入防止など、当該装置において重要な機能を果たす部分を保護するためのカバー機構を備えていることが多い。特にカメラレンズの場合、傷や指紋，埃，塵などが撮影画像に大きな影響を及ぼすため、上記カバー機構を設けることが効果的であると考えられる。また、携帯電話端末のように、ユーザが常に持ち歩くと共に例えばポケットや鞄の中で他の物とぶつかるようなハードな使用が想定される携帯型電子装置の場合にも、上記カバー機構が有効であると考えられている。
【０００３】
ここで、携帯型電子装置に用いられる従来のカバー機構として、特開平６−２７３８３６号の公開特許公報（特許文献１）には、カメラレンズのバリアを回動させることでカメラレンズを保護する状態と、カメラレンズを露出する状態とを取り得るバリア装置が開示されている。また、このバリア装置は、バリアの回動軸周りにギヤとセクタギアが設けられ、さらに、当該セクタギアが、レンズ鏡筒の繰り出し及び引き込み機構用のギアに必要に応じて連結可能に構成されている。すなわちこのバリア装置において、例えば使用者によりバリアが回動操作されると、そのバリアの回動軸周りのギヤとセクタギアを介して上記繰り出し及び引き込み機構用ギアが駆動されるようになり、その結果、レンズ鏡筒が繰り出し或いは引き込みされるようになる。また、このバリア装置は、バリアを回動させた際に、所定の位置でバリアを停止させるためのクリック機構又はロック機構を備えている。なお、この公開特許公報には上記クリック機構又はロック機構の詳細について図示されていないが、当該バリア装置の場合、上述したようにバリアの回動軸周りにギヤやセクタギア等の多数の部品が実装されているため、上記クリック機構又はロック機構を実現するための各部品は、それらギヤやセクタギアの働きを妨げることのない場所、例えば筐体の外装上などに、別途設置されていると考えられる。
【０００４】
【特許文献１】特開平６−２７３８３６号公報（第１図）
【発明の開示】
【発明が解決しようとする課題】
【０００５】
ところで、携帯電話端末やＰＤＡ等の携帯型の電子装置は、ユーザが常に携帯する装置であるため、小型であり且つ軽量であることが求められている。また、他の様々な電子機器と同様に、携帯型電子装置においても低価格化への要請が強くなっている。
【０００６】
携帯型電子装置の小型化及び軽量化と低価格化を実現するための有効な手法としては、部品点数を削減すること、及び、限られた容量の筐体内での各部品の効率的な配置とが挙げられる。すなわち、部品点数を削減できれば、装置筐体の小型化と軽量化が可能になると同時に製造コストも削減できるため、装置の低価格化が可能となる。また、各部品を効率的に配置できれば、よりコンパクトな筐体を実現できることになる。
【０００７】
その一方で、近年の携帯型電子装置は、年々高性能化するカメラモジュールなどを保護するためのカバー機構が必須になりつつあり、したがって、当該カバー機構を搭載する場合には、そのカバー機構のために必要な部品点数を如何にして削減するか、また、それらの部品を小型の筐体の何れの位置にどのように設置すれば良いのかが大きな課題となっている。
【０００８】
本発明は、このような実情に鑑みて提案されたものであり、カバー機構を搭載することによる部品点数の増加を抑え、装置の小型化，軽量化及び低価格化を実現すると共に、スペース効率を考慮した部品の配置を実現しつつ、カメラモジュール等の重要な機能を果たす部分を保護できるカバー機構を実現可能とする開閉装置及び、その開閉装置を備えた携帯型電子装置を提供することを目的とする。
【課題を解決するための手段】
【０００９】
本発明の開閉装置は、筐体の外面側に設けられ、中央部に対して偏った位置に配された回動軸を中心にして回動することにより、被カバー部を覆う閉状態と被カバー部を露出させる閉状態とを取り得るカバー手段と、カバー手段をその回動軸を中心にして回動可能で且つ離脱不能に筐体へ取り付けるためのカバー取付手段と、カバー手段の回動軸近傍で且つ筐体の内面に一体化されて設けられ、カバー手段が回動軸を中心にして回動する際の、その回動の停止位置を決める回動停止位置決め手段と、カバー手段の回動軸に取り付けられ且つ当該回動軸の回動に応じて回動すると共に、回動停止位置決め手段による回動停止位置でカバー手段の回動を停止させるための回動停止手段とを有することにより、上述した課題を解決する。
【００１０】
また、本発明の開閉装置は、筐体の外面側に設けられ、中央部に対して偏った位置に配された回動軸部を中心にして回動することにより、被カバー部を覆う閉状態と被カバー部を露出させる閉状態とを取り得るカバー部材と、カバー部材の回動軸部が回動可能に挿通される貫通孔部と当該貫通孔部の近傍で且つ内面と一体化された状態で突き出た衝止部とを備えた筐体と、筐体の内面側にて、貫通孔部に挿通されたカバー部材の回動軸部を当該貫通孔部から引き抜き不能に嵌合すると共に、カバー部材の回動軸部の回動に応じて回動することにより、筐体の内面に形成されている衝止部に突き当てられる突当部を備えたカバー連動部材とを有することにより、上述した課題を解決する。
【００１１】
また、本発明の携帯型電子装置は、筐体の外面側に設けられ、中央部に対して偏った位置に配された回動軸を中心にして回動することにより、少なくともカメラ用レンズを覆う閉状態と当該カメラ用レンズを露出させり閉状態とを取り得るカバー手段と、カバー手段を回動軸を中心にして回動可能で且つ離脱不能に筐体へ取り付けるためのカバー取付手段と、カバー手段の回動軸近傍で且つ筐体の内面に一体化されて設けられ、カバー手段が回動軸を中心にして回動する際の、その回動の停止位置を決める回動停止位置決め手段と、カバー手段の回動軸に取り付けられ且つ当該回動軸の回動に応じて回動すると共に、回動停止位置決め手段による回動停止位置でカバー手段の回動を停止させるための回動停止手段とを有することにより、上述した課題を解決する。
【００１２】
すなわち本発明によれば、回動停止位置を決めるための手段が筐体内面と一体化されていると共に、その回動停止位置でカバー手段の回動を停止させるための手段が、筐体内面側で且つカバー手段の回動軸に取り付けられている。
【発明の効果】
【００１３】
本発明においては、回動停止位置決め手段を筐体内面と一体化して構成し、また、回動停止手段を筐体内面側で且つカバー手段の回動軸に取り付けており、スペース効率を考慮した部品の配置が実現されていると共に、カバー機構を構成する部品点数が大幅に削減されているため、装置の小型化と装置重量の削減、及びコストの低減が実現可能となっている。
【発明を実施するための最良の形態】
【００１４】
以下、図面を参照しながら、本発明の開閉装置及び携帯型電子装置の実施の形態について説明する。ここでは、本発明の開閉装置及び携帯型電子装置が適用される一実施の形態として携帯電話端末を挙げて説明する。なお、本実施形態において、通信回路，ディジタルカメラ機能を実現するための撮像素子，画像信号処理回路等の内部回路構成や、液晶ディスプレイ等の表示デバイス、テンキー等の操作デバイスのような、一般の携帯電話端末が備えている構成については、本実施形態の携帯電話端末も当然備えており、それらの詳細については省略する。
【００１５】
〔本実施形態の筐体外装側のカバー機構の概略〕
図１，図２には、本発明の携帯型電子装置の一実施形態である携帯電話端末の筐体１を構成する各外装面のうち、本発明の開閉装置の一実施形態であるカバー機構が設けられている側を正面から観た図を示している。図１は、カバー部材２が被カバー部材を覆っている状態（以下、閉状態と呼ぶ）を示し、図２は、カバー部材２が開くことで被カバー部材が露出した状態（以下、閉状態と呼ぶ）を示している。また、図３には、本実施形態の携帯電話端末の筐体１とカバー機構を分解した状態を示している。なお、本実施形態の携帯電話端末では、上記カバー部材２により保護される被カバー部材の一例として、カメラモジュールのレンズ３と撮影時の照明光を発光する例えばＬＥＤ（発光ダイオード）からなるライト５とを挙げている。
【００１６】
図１〜図３において、カバー部材２は、円盤形状を成しており、筐体１側となる面上で且つ円盤の中心から偏心した位置（以下、回転支点ＲＰとする）に回動軸部１４が設けられている。回動軸部１４の端部（カバー部材２の円盤部に接していない側の端部）には、所定のネジと螺合する螺刻孔部が所定の深さ分だけ設けられている。
【００１７】
カバー部材２と筐体１との間には、カバー部材２と略々同じ直径となされた円盤形状の装飾部材４が配されている。また、当該装飾部材４は、上記カバー部材２の回動軸部１４が回動可能に挿通される回動軸用貫通孔部８と、レンズ３が嵌め込まれて固定されるレンズ用貫通孔部１５と、ライト５が嵌め込まれて固定されるライト用貫通孔部１６とを備えている。
【００１８】
筐体１には、上記カバー部材２の回動軸部１４が回動自在に嵌め込まれる回動軸用嵌込孔部９と、少なくともレンズ３を介した光束が通過できる円形の光束貫通孔部１７と、ライト５が嵌め込まれるライト用嵌込孔部１８と、上記装飾部材４の外周部が嵌め合わされる、円形で且つその円周に沿って凸状となされた円形ガイド部６とを有している。
【００１９】
そして、本実施形態の携帯電話端末によれば、上記装飾部材４の回動軸用貫通孔部８と筐体１の回動軸用嵌込孔部９、装飾部材４のレンズ用貫通孔部１５と筐体１の光束貫通孔部１７、装飾部材４のライト用貫通孔部１６と筐体１のライト用嵌込孔部１８の各々の中心位置が合わされると共に、上記レンズ３とライト５が組み込まれた状態の装飾部材４が、上記円形ガイド部６内に嵌め込まれて固着されている。
【００２０】
また、上記カバー部材２は、上記装飾部材４の回動軸用貫通孔部８を介して、筐体１の回動軸用嵌込孔部９に上記回動軸部１４が挿通状態に取り付けられている。当該カバー部材２は、回動軸部１４の軸中心を回転支点ＲＰとして、図２中矢印Ａ１とＡ２で示す方向に回動可能となされている。したがって、図１の閉状態の際に、図２中矢印Ａ１方向にカバー部材２が回動操作されると、被カバー部材であるレンズ３やライト５が露出した上記開状態となり、逆に、図２の開状態の際に図２中矢印Ａ２方向にカバー部材２が回動操作されると、それら被カバー部材がカバー部材２により覆われた上記閉状態となる。
【００２１】
〔本実施形態の筐体内面側のカバー機構の概略〕
図４には、本実施形態の携帯電話端末の筐体１を構成する各内面のうち、上記カバー機構が設けられることになる内面側を正面から観た図を示す。また、図５には、図４中の円Ｃで囲んだ部分を拡大して示す。
【００２２】
図４，図５において、筐体１の内面側には、上述した回動軸用嵌込孔部９と光束貫通孔部１７とライト用嵌込孔部１８の各孔部が開けられている。また、筐体１の内面には、円環嵌合部４２と、第１の衝止部２４及び第２の衝止部２５と、ホルダ部２６とが設けられている。
【００２３】
円環嵌合部４２は、筐体１の内面側から突き出た状態で且つ当該筐体１と一体化されて形成されており、当該円環嵌合部４２の孔部が上記回動軸用嵌込孔部９となっている。
【００２４】
上記第１の衝止部２４及び第２の衝止部２５は、上記円環嵌合部４２の近傍に設けられ、共に例えばコの字形状を成しており、それぞれ筐体１の内面側から突き出た状態で且つ当該筐体１と一体化されて形成されている。特に、第１の衝止部２４の衝止面２４ａと第２の衝止部２５の衝止面２５ａの形成位置は、上記回動軸用嵌込孔部９の中心軸、つまりカバー部材２の回転支点ＲＰとなる位置から、所定の方向で且つ所定の距離の位置となされている。詳細については後述するが、これら第１の衝止部２４及び第２の衝止部２５は、上記回動軸用嵌込孔部９の中心軸から所定の方向で且つ所定の距離の位置に設けられることにより、カバー部材２が回動軸部１４を中心にして回動する際に、その回動の停止位置を決める回動停止位置決め手段としての機能を有している。
【００２５】
ホルダ部２６は、上記円環嵌合部４２の近傍に設けられ、例えば箱形状を成すと共に、筐体１の内面側から突き出た状態で且つ当該筐体１と一体化されて形成されている。特に、ホルダ部２６は、円環嵌合部４２の外周から所定の距離となる位置に設けられていると共に、当該円環嵌合部４２と対向した壁部分に、後述するクリックピン１３の当接部５１が挿通可能な所定の大きさの貫通孔４４が設けられている。
【００２６】
ここで、本実施形態の携帯電話端末において、上記円環嵌合部４２には、図６，図７に示すカバー連動部材１０の嵌込孔部３８が回動可能に嵌め合わされる。なお、図６は、当該カバー連動部材１０を正面から観た図であり、図７は筐体１の内面と接する側から観た図である。
【００２７】
この図６，図７において、カバー連動部材１０は、円筒部３９と方形部３３とが一体化して構成されている。上記方形部３３は、円筒部３９の両端部のうち筐体１の内面側に接する側である下端部から、所定の高さとなる位置に設けられている。当該方形部３３は、凹部３７を備えており、この凹部３７には必要に応じて例えば図３に示した磁石１１が取り付けられるようになっている。
【００２８】
また、円筒部３９の外周部分には、第１の突起部３１と第２の突起部３２とが、所定の距離を空け且つ当該円筒部３９と一体化して形成されており、さらに、当該所定距離で隔たった第１の突起部３１と第２の突起部３２の間には、円筒部３９の外径よりも所定長だけ大きな径の円弧となされ且つその円弧の両端部がなだらかにカーブして上記円筒部３９の外周部と接する形状となされた円弧部３４が、当該円筒部３９と一体化して形成されている。これら第１の突起部３１と第２の突起部３２と円弧部３４は、円筒部３９の例えば下端部からそれぞれ同じ高さとなる位置に配されている。そして、本実施形態において、第１の突起部３１と円弧部３４の一端部との間の凹部と、第２の突起部３２と円弧部３４の他端部との間の凹部は、後述するクリック機構の第１の係止部３５と第２の係止部３６として機能するようになされている。
【００２９】
また、カバー連動部材１０は、所定径のネジが挿通可能なネジ挿入孔２３と、二つの貫通孔４０を有している。当該ネジ挿入孔２３には、所定径で且つ所定の長さのネジ（図示は省略）が挿入される。なお、このネジは、上記カバー部材２の回動軸部１４が上記回動軸用嵌込孔部９に組み込まれた際に、上記カバー連動部材１０を介して、その先端部が上記回動軸部１４の前記螺刻孔部に螺着される前述の所定のネジである。二つの貫通孔４０は、上記カバー部材２の回動軸部１４が上記回動軸用嵌込孔部９に組み込まれ、且つ、上記カバー連動部材１０が上記所定のネジにより上記カバー部材２の回動軸部１４と連動可能に連設された際に、上記ネジの緩み及び、カバー部材２の回動軸部１４に対するカバー連動部材１０の空転を防止するための例えば楔部材を挿入するか、若しくは、接着剤を注入するために設けられている。
【００３０】
すなわち本実施形態の携帯電話端末において、上記カバー連動部材１０は、上記カバー部材２を上記回動軸部１４を中心にして回動可能で且つ離脱不能（引き抜き不能）に筐体１へ取り付けるためのカバー取付手段、及び、上記第１の衝止部２４及び第２の衝止部２５により決められている回動停止位置で上記カバー部材２の回動を停止させるための回動停止手段としての機能を備えている。
【００３１】
本実施形態の携帯電話端末において、上記ホルダ部２６内には、図８〜図１０に示すように、当接部５１とバネ嵌込部５２及び衝止部５３とを一体化して形成されたクリックピン１３と、コイルバネ１２とが配される。なお、図８は、クリックピン１３の外観を示し、図９には、上記カバー連動部材１０やクリックピン１３等が筐体１の内面側に取り付けられた状態を示し、図１０は、図９中の円Ｃで囲んだ部分を拡大して示している。
【００３２】
これら図８〜図１０において、クリックピン１３の当接部５１は、ホルダ部２６の前記貫通孔４４内に滑動自在で且つその先端部が当該貫通孔４４から突出した状態で嵌め込まれると共に、上記先端部が上記カバー連動部材１０の第１の係止部３５，第２の係止部３６の凹形状に嵌合可能な凸形状を成している。また、上記バネ嵌込部５２は、コイルバネ１２の一方の端部を嵌め込み可能な円筒形状を成しており、上記衝止部５３は、ホルダ部２６の貫通孔４４よりも大きく且つ、少なくともコイルバネ１２の圧縮時の反発力以上の耐圧力強度を有して形成されている。コイルバネ１２は、上記一方の端部がバネ嵌込部５２に嵌め込まれた状態で、他方の端部がホルダ部２６の底部４５に圧縮された状態で当接するように組み込まれる。
【００３３】
すなわち本実施形態の携帯電話端末において、筐体１の内面側に上記ホルダ部２６が設けられる位置は、クリックピン１３の当接部５１が、カバー連動部材１０の円筒部２９の外周部、特に、第１，第２の突起部３１，３２に挟まれた円弧部３４に当接可能な距離となされており、また、カバー連動部材１０上の第１，第２の突起部３１，３２と円弧部３４が円筒部３９に配置される位置及び当該円筒部３９の下端部からの配置高さは、当該カバー連動部材１０が円環嵌合部４２に取り付けられた際に、上記クリックピン１３の当接部５１が、少なくとも第１，第２の突起部３１，３２に挟まれた円弧部３４に当接可能な位置及び高さとなされている。
【００３４】
〔カバー部材を回動操作した際のカバー連動部材近傍の動作説明〕
本実施形態の携帯電話端末において、図９や図１０に示すように、上述したカバー連動部材１０が筐体１の上記円環嵌合部４２に組み込まれると共に、クリックピン１３とコイルバネ１２が筐体１の上記ホルダ部２６に組み込まれている状態で、筐体１の外装側のカバー部材２が例えば閉状態となっている場合、カバー連動部材１０は、方形部３３の右側面３３ａが第１の衝止部２４の衝止面２４ａに突き当てられた状態となり、また、クリックピン１３の当接部５１の先端は、上記コイルバネ１２の反発力により、カバー連動部材１０の第１の係止部３５に嵌合した状態となる。一方、筐体１の外装側のカバー部材２が開状態となっている場合、カバー連動部材１０は、方形部３３の左側面３３ｂが第２の衝止部２５の衝止面２５ａに突き当てられた状態となり、また、クリックピン１３の当接部５１の先端は、上記コイルバネ１２の反発力により、カバー連動部材１０の第２の係止部３６に嵌合した状態となる。
【００３５】
そして、カバー部材２が開状態の際に、前記図２中の矢印Ａ１方向にカバー部材２が回動操作されると、カバー連動部材１０は、そのカバー部材２と連動して図１０中の矢印Ａ１方向に回動することになる。また、カバー連動部材１０が図１０中の矢印Ａ１方向に回動している際、カバー連動部材１０とクリックピン１３の当接部５１の先端との接触位置は、当該カバー連動部材１０の回動とコイルバネ１２の反発力とに応じて、第１の係止部３５から円弧部３４上を経由して第２の係止部３６へ移動することになる。一方、カバー部材２が閉状態の際に、前記図２中の矢印Ａ２方向にカバー部材２が回動操作されると、カバー連動部材１０は、そのカバー部材２と連動して図１０中の矢印Ａ２方向に回動することになる。また、カバー連動部材１０が図１０中の矢印Ａ２方向に回動している際、カバー連動部材１０とクリックピン１３の当接部５１の先端との接触位置は、当該カバー連動部材１０の回動とコイルバネ１２の反発力とに応じて、第２の係止部３６から円弧部３４上を経由して第１の係止部３５へ移動することになる。
【００３６】
なお、カバー連動部材１０を図１０中の矢印Ａ１やＡ２方向に回動させた際に、コイルバネ１２の反発力により、クリックピン１３の当接部５１の先端が第１の係止部３５或いは第２の係止部３６に嵌合したとき、クリック感が得られることになる。また、本実施形態において、カバー連動部材１０を図１０中の矢印Ａ１やＡ２方向に回動させている際に、上記クリックピン１３の当接部５１の先端が円弧部３４上などに在る場合、コイルバネ１２の反発力は、カバー部材２を回動させる際の抵抗力、言い換えるとカバー部材２を回動させる際の重さを決定する力となっている。
【００３７】
また、カバー連動部材１０の方形部３３の凹部３７上に、例えば磁石１１を取り付けると共に、カバー部材２が例えば閉状態の際の凹部３７の位置に相対応した回路基板（図示は省略）上、或いは、カバー部材２が開状態の際の凹部３７の位置に相対応する回路基板上に、磁界強度の変化に応じて抵抗値が変化する磁気抵抗効果を有したＭＲ（強磁性体磁気抵抗素子）センサを設けることで、そのＭＲセンサの出力により、カバー部材２の閉状態或いは開状態を検知することが可能となる。
【００３８】
すなわち、ＭＲセンサは、図１１に示す構成を備えた回路基板上の開閉検出部８２に相当し、当該開閉検出部８２からの検出信号が制御部７１に送られる。このときの制御部７１は開閉検出部８２からの検出出力に基づいて、カバー部材２が閉状態か或いは開状態かを検知する。
【００３９】
〔携帯電話端末の内部構成〕
以下、本実施形態の携帯電話端末の内部回路構成について図１１を参照しながら簡単に説明する。
【００４０】
図１１において、アンテナ７２は、例えば内蔵アンテナであり信号電波の送受信を行う。通信回路７３は、送受信信号の周波数変換、変調と復調、スペクトラム拡散と逆拡散、送受信されたデータが通話音声データかそれ以外のデータかの弁別等を行う。なお、通話音声データ以外のデータとは、画像データや電子メール、プログラムデータ、その他のデータである。
【００４１】
受信された通話音声データは、データラインを介して制御部７１へ送られる。制御部７１は、ＣＰＵ（中央処理装置）からなり、通話音声データを復号化し、その復号化後の音声データをデータラインを介してスピーカ７８へ送る。
【００４２】
スピーカ７８は、ディジタル／アナログ変換器と増幅器を含み、音声データをディジタル／アナログ変換及び増幅した後、出力する。これにより、通話音声が得られることになる。
【００４３】
マイクロホン７９は、アナログ／ディジタル変換器と増幅器を含む。このマイクロホン７９を介して入力された通話音声信号は、増幅器により所定のレベルに増幅された後、アナログ／ディジタル変換器によりディジタル音声データに変換され、データラインを介して制御部７１へ送られて符号化された後、通信回路７３へ送られる。
【００４４】
表示部７４は、本実施形態の携帯電話端末の筐体１のディスプレイ及びそのディスプレイに画像を表示するための駆動回路とからなる。
【００４５】
操作部７５は、本実施形態の携帯電話端末の筐体１上に設けられている発話キー、終話電源キー、モード入力キー、クリアキー、メールキー、文字の変換確定やスクロール等のために用いられるジョグダイヤル、テンキー等からなる。
【００４６】
メモリ７６は、ＲＯＭとＲＡＭを含む。ＲＯＭは、制御部７１が各部を制御するための制御プログラムや各種の初期設定値、開閉検出部８２からの検出信号に基づくカバー部材２の開閉検知処理を行うためのプログラムコード、当該携帯電話端末の電話番号、フォントデータ、文字入力時の辞書データ、その他、携帯電話端末に搭載される各種のアプリケーション用のプログラムコード、当該携帯電話端末の識別情報（ＩＤ）などを記憶している。このＲＯＭは、ＥＥＰＲＯＭのような書き換え可能なＲＯＭを含み、電子メールデータ、ユーザにより設定される電話帳や電子メールアドレス、ダウンロードされた写真データや着信音データ、その他、各種のユーザ設定値等を保存することも可能となされている。ＲＡＭは、制御部７１が各種のデータ処理を行う際の作業領域や文字入力処理中の作業領域として、随時データを格納する。
【００４７】
開閉検知部８２は、上記ＭＲセンサであり、上述したように、カバー連動部材１０の方形部３３の凹部３７上に取り付けられた磁石１１の近接を検出することにより、カバー部材２の開閉を検知する。
【００４８】
カメラ部８１は、前述したカメラモジュールであり、レンズ３系及びそのレンズのフォーカス合わせ等を行うためのレンズ駆動回路や撮像素子、ライト５を必要に応じて発光させる発光駆動回路などを備えている。
【００４９】
制御部７１は、上述した通話音声データの符号化や復号化の他、制御ラインを介して当該携帯電話端末の各構成要素の制御や各種の演算処理を行う。特に、本実施形態の場合の制御部７１は、前述したように、開閉検出部８２からの検出信号に基づいてカバー部材２の閉閉状態を認識する。
【００５０】
その他、図１１には図示を省略しているが、本実施形態の携帯電話端末は、各部に電力を供給する電源回路や、音楽の録音や再生を行うための音楽録音再生部、ブラウザ機能、例えば外部メモリ等の外部記憶装置と端末本体とを接続するためのインターフェイス、外部リモートコントローラの接続端子、近距離で様々な情報を無線により通信（赤外線通信等も含む）するための近距離無線通信部、携帯電話端末の現在位置を検出するための測位デバイスであるＧＰＳ（Global Positioning System）部などを備えている。
【００５１】
なお、携帯電話端末が通常備えているその他の構成については省略する。
【００５２】
〔まとめ〕
以上説明したように、本実施形態の携帯電話端末は、カバー部材２の回動軸部１４とカバー連動部材１０とが連設されると共に、そのカバー連動部材１０がカバー部材２の回動軸部１４と連動して回動するようになされており、また、そのカバー連動部材１０の近傍、つまり筐体１に組み込まれた状態のカバー部材２の回動軸部１４の近傍となる位置に、第１の衝止部２４及び第２の衝止部２５とホルダ部２６とが筐体１の内面と一体化されて形成されたカバー機構を備えている。
【００５３】
すなわち、本実施形態のカバー機構によれば、筐体１とは別部品として用意されるのは、カバー部材２とカバー連動部材１０、クリックピン１３とコイルバネ１２のみであり、非常に少ない部品点数により実現されている。また、本実施形態のカバー機構によれば、筐体１を例えば射出成形等により作成する際に、第１の衝止部２４，第２の衝止部２５，ホルダ部２６，円環嵌合部４２等が、当該筐体１と一体化されて形成されているため、それらを別部品として用意する必要がない。さらに、本実施形態のカバー機構のカバー連動部材１０においても同様に、当該カバー連動部材１０を例えば射出成形等により作成する際に、方形部３３やカバー部材２の回動操作時にクリック感を出すための第１の突起部３１，第２の突起部３２，円弧部３４等が、円筒部３９と一体化されて形成されているため、それらを別部品として用意する必要がない。したがって、本実施形態の携帯電話端末によれば、カバー機構を実装する際の部品点数の増加を抑え、また、構成の大型化及び重量増加，価格上昇をも効果的に抑えることができる。
【００５４】
また、本実施形態のカバー機構によれば、カバー連動部材１０がカバー部材２の回動軸部１４に連設されると共に、第１の衝止部２４，第２の衝止部２５，ホルダ部２６が、そのカバー連動部材１０の周囲（つまりカバー部材２の回動軸部１４の周囲）に集約されているため、スペース効率が良い。すなわち、本実施形態の携帯電話端末によれば、スペース効率を考慮した部品の配置を実現しているため、小型化が可能となっている。
【００５５】
その他、本実施形態のカバー機構においては、カバー連動部材１０上に設けた磁石１１と例えば回路基板上に設けたＭＲセンサにより、カバー機構の開閉検知も可能となっている。なお、カバー機構の開閉検知は、そのカバー機構により保護される被カバー部材に関連する機能の動作制御等に利用することができる。すなわち例えば、被カバー部材が本実施形態のようにカメラモジュールのレンズ３等である場合、制御部７１は、カバー機構が開状態となったことを検知したときに当該カメラモジュールのカメラ機能を起動させ、逆に、カバー機構が閉状態となったことを検知したときに当該カメラ機能を停止させるような制御を行うことができる。
【００５６】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００５７】
例えば、本発明にかかるカバー機構は、携帯電話端末に限定されず、ＰＤＡやポータブルオーディオ機器、ディジタルカメラなど各種の携帯型電子装置に適用可能であり、また、本発明のカバー機構は、上述したレンズ３やライト５だけでなく、自分撮り用のミラー、キーや表示部、外部接続端子など様々な被カバー部材を保護するものであっても良い。勿論、本発明にかかるカバー機構は、被カバー部材を保護する目的だけでなく、例えば外部メモリの挿入口やディスク媒体の挿入口の開閉機構等にも適用可能である。
【００５８】
また、本実施形態のカバー機構において、第１の衝止部２４と第２の衝止部２５の配置位置を変更したり、カバー連動部材１０の方形部３３の大きさや設置位置を変更すれば、カバー部材２の開閉角度，開閉量を、図２の例とは異なる開閉角度や開閉量にすることができる。
【図面の簡単な説明】
【００５９】
【図１】本実施形態の携帯電話端末のカバー機構が閉じた状態を示す正面外観図である。
【図２】本実施形態の携帯電話端末のカバー機構が開いた状態を示す正面外観図である。
【図３】本実施形態の携帯電話端末の筐体とカバー機構の分解斜視図である。
【図４】本実施形態の携帯電話端末のカバー機構が設けられることになる筐体内面側を示す外観図である。
【図５】図４中の円Ｃで囲んだ部分を拡大して示す拡大図である。
【図６】カバー連動部材の正面外観図である。
【図７】カバー連動部材を筐体内面と接する側から観た外観図である。
【図８】クリックピンの外観図である。
【図９】本実施形態の携帯電話端末にカバー機構が取り付けられた際の筐体内面側を示す外観図である。
【図１０】図９中の円Ｃで囲んだ部分を拡大して示す拡大図である。
【図１１】本実施形態の携帯電話端末の概略的な内部回路構成を示すブロック回路図である。
【符号の説明】
【００６０】
１  携帯電話端末の筐体、２  カバー部材、３  レンズ、４  装飾部材、５  ライト、６  円形ガイド部、８  回動軸用貫通孔部、９  回動軸用嵌込孔部、１０  カバー連動部材、１１  磁石、１２  コイルバネ、１３  クリックピン、１４  回動軸部、１５  レンズ用貫通孔部、１６  ライト用貫通孔部、１７  光束貫通孔部、１８  ライト用嵌込孔部、２３  ネジ挿入孔、２４  第１の衝止部、  ２５  第２の衝止部、２６  ホルダ部、３１  第１の突起部、３２  第２の突起部、３３  方形部、３４  円弧部、３５  第１の係止部、３６  第２の係止部、３７  凹部、３８  嵌込孔部、３９  円筒部、４０  貫通孔、４２  円環嵌合部、４４  貫通孔、４５  底部、５１  当接部、５２  バネ嵌込部、５３  衝止部
【図１】
2005311597.tif 000003
【図２】
2005311597.tif 000004
【図３】
2005311597.tif 000005
【図４】
2005311597.tif 000006
【図５】
2005311597.tif 000007
【図６】
2005311597.tif 000008
【図７】
2005311597.tif 000009
【図８】
2005311597.tif 000010
【図９】
2005311597.tif 000011
【図１０】
2005311597.tif 000012
【図１１】
2005311597.tif 000013